(57)【要約】      （修正有）【課題】作業のやり易い栽培装置を提供する。【解決手段】複数の栽培ユニット２Ａ及び２Ｂが栽培ハウス１内に垂線で示す作業通路となる南北方向の間隔をもって並設され、前記複数の栽培ユニット２Ａ及び２Ｂの下段棚としての南側棚２Ａ３及び２Ｂ３で栽培容器５Ａ２及び５Ｂ２を用いて夏至の期間を含む夏期に収穫期となる植物を栽培する。前記下段棚に対して上下方向に貫通する空間部５３を有する上段棚としての北側棚２Ａ２で栽培容器５Ａ１を用いて夏至の期間を含む夏期に土作りとなる植物を栽培する。この夏至の期間を含む夏期には前記上段棚としての北側棚２Ａ２から栽培容器５Ａ１が撤去され、下段棚としての栽培容器５Ａ２及び５Ｂ２を用いて栽培される植物に夏至の期間を含む夏期の収穫期に日光６が上段棚としての北側棚２Ａ２における上下方向に貫通する空間部５３を通しても当たることから、年間を通して植物の収穫が可能となる。【選択図】図１０
2020005656.tif 000002
【特許請求の範囲】
【請求項１】
複数の栽培ユニットが栽培ハウス内に作業通路となる南北方向の間隔をもって並設され、前記複数の栽培ユニットの下段棚で夏至の期間を含む夏期に収穫期となる植物を栽培し、前記下段棚に対して上下方向に貫通する空間部を有する上段棚で栽培容器を用いて冬至の期間を含む冬期に植物を栽培し、前記夏至の期間を含む夏期には前記上段棚から栽培容器が撤去されることを特徴とする植物の栽培方法。
【発明の詳細な説明】
【技術分野】
【０００１】
本発明は、植物の栽培方法に関する。
【背景技術】
【０００２】
従来図に示したように、栽培ハウス８０１の内部の栽培空間８０２に設置された栽培ユニット８０３は、台形状の支持枠８０４に複数個の棚８０５を上下方向に多段に設け、複数個の棚８０５のそれぞれに栽培容器８０６を置き、栽培容器８０６で苺等の植物を栽培するように、又、下段の栽培容器８０６が上段の栽培容器８０６よりも地面等の設置面８０７に対して仮想線で示した垂線８０８の側に突出するように配置されることで、栽培ハウス８０１の南側の外部から栽培空間８０２に採光された光８０９が全部の栽培容器８０６で栽培した植物に当たるようになっている。しかしながら、最下段の栽培容器８０６を避けるように、作業者が垂線８０８の上で植物への作業を行う場合、上段に行くほど栽培容器８０６が作業者から遠くなるので、作業がやり難くなる。
【先行技術文献】
【特許文献】
【０００３】
【特許文献１】特許第４８２１３１３号公報
【発明の概要】
【発明が解決しようとする課題】
【０００４】
本発明は、上記背景技術に鑑みてなされたものであり、作業のやり易い栽培装置の提供を目的とする。
【課題を解決するための手段】
【０００５】
本発明は、複数の栽培ユニットが栽培ハウス内に作業通路となる南北方向の間隔をもって並設され、前記複数の栽培ユニットの下段棚で夏至の期間を含む夏期に収穫期となる植物を栽培し、前記下段棚に対して上下方向に貫通する空間部を有する上段棚で栽培容器を用いて冬至の期間を含む冬期に植物を栽培し、前記夏至の期間を含む夏期には前記上段棚から栽培容器が撤去されることを特徴とする。
【発明の効果】
【０００６】
本発明は、複数の栽培ユニットが栽培ハウス内に作業通路となる南北方向の間隔をもって並設され、前記複数の栽培ユニットの下段棚で夏至の期間を含む夏期に収穫期となる植物を栽培し、前記下段棚に対して上下方向に貫通する空間部を有する上段棚で栽培容器を用いて冬至の期間を含む冬期に植物を栽培し、前記夏至の期間を含む夏期には前記上段棚から栽培容器が撤去されれば、年間を通して植物の収穫が複数回可能となる。
【図面の簡単な説明】
【０００７】
【図１】発明を実施するための形態１に係る栽培装置の模式図。
【図２】発明を実施するための形態２に係る栽培装置の模式図。
【図３】発明を実施するための形態３に係る栽培装置の模式図。
【図４】発明を実施するための形態４に係る栽培装置の模式図。
【図５】発明を実施するための形態５に係る栽培装置の模式図。
【図６】発明を実施するための形態６に係る栽培装置の模式図。
【図７】発明を実施するための形態７に係る栽培ユニットの平面図。
【図８】発明を実施するための形態７に係る栽培ユニットの側面図。
【図９】発明を実施するための形態７に係る栽培ユニットの側面図。
【図１０】発明を実施するための形態８に係る栽培装置の模式図。
【図１１】発明を実施するための形態９に係る栽培装置の模式図。
【図１２】発明を実施するための形態１０に係る栽培方法を表す図。
【図１３】従来の栽培装置の模式図。
【発明を実施するための形態】
【０００８】
図１乃至５において、東西方向が図１乃至５の紙面の表裏の方向であり、南北方向が図１乃至５の紙面に平行な方向であり、栽培ユニット２Ａ及び２Ｂの複数列の数は２列に限定されるものではく３列以上でも適用可能である。
【０００９】
図１を用いて発明を実施するための形態１に係る栽培装置について説明する。図１に示した栽培装置は、栽培ハウス１と栽培ユニット２Ａ及び２Ｂとから構成される。栽培ハウス１は、栽培空間３をガラスやビニール等の採光可能な部材で覆い、栽培空間３に対する暖房装置や換気装置を施した、温室になっている。
【００１０】
栽培ユニット２Ａが栽培ユニット２Ｂよりも南側に位置するように栽培ハウス１の内部における栽培空間３に設置され、複数個の支柱２Ａ１と北側棚２Ａ２と南側棚２Ａ３とを備える。複数個の支柱２Ａ１は、東西方向に対峙し、上下方向に寸胴形状に延びた、内部を上下方向に肉抜きされた中空な部材である管又は内部を肉抜きされていない中実な部材である棒で構成される。
【００１１】
栽培ユニット２Ｂが栽培ユニット２Ａよりも北側に位置するように栽培ハウス１の内部における栽培空間３に設置され、複数個の支柱２Ｂ１と北側棚２Ｂ２と南側棚２Ｂ３とを備える。複数個の支柱２Ｂ１は、東西方向に対峙し、上下方向に寸胴形状に延びた、内部を上下方向に肉抜きされた中空な部材である管又は内部を肉抜きされていない中実な部材である棒により構成される。
【００１２】
支柱２Ａ１及び２Ｂ１の下端部が栽培ハウス１を設置した地面等の低圃場面４に固定され、支柱２Ａ１及び２Ｂ１の上端部が下端部から真上にまっすぐ延びたように、支柱２Ａ１及び２Ｂ１は低圃場面４に設置される。支柱２Ａ１及び２Ｂ１の低圃場面４からの高さは同じでも違っても良い。
【００１３】
栽培ユニット２Ａにおいて、北側棚２Ａ２は南側棚２Ａ３よりも上方で複数個の支柱２Ａ１から北側に栽培容器５Ａ１を置けるように突出し最上段の棚として構成されており、南側棚２Ａ３は北側棚２Ａ２よりも下方で複数個の支柱２Ａ１から南側に栽培容器５Ａ２を置けるように突出した構成である。栽培ユニット２Ｂにおいて、北側棚２Ｂ２は南側棚２Ｂ３よりも上方で複数個の支柱２Ｂ１から北側に栽培容器５Ｂ１を置けるように突出し最上段の棚として構成されており、南側棚２Ｂ３は北側棚２Ｂ２よりも下方で複数個の支柱２Ｂ１から南側に栽培容器５Ｂ２を置けるように突出した構成である。北側棚２Ａ２及びは２Ｂ２の低圃場面４からの高さは同じでも違っても良く、南側棚２Ａ３及び南側棚２Ｂ３の低圃場面４からの高さは同じでも違っても良い。但し、南側棚２Ａ３の低圃場面４からの高さは、北側棚２Ｂ２の低圃場面４からの高さよりも低い。又、南側棚２Ｂ３の低圃場面４からの高さは、北側棚２Ａ２の低圃場面４からの高さよりも低い。
【００１４】
図１に示した栽培装置は、支柱２Ａ１及び２Ｂ１が上下方向に寸胴形状に延び、最上段の棚としての北側棚２Ａ２及び２Ｂ２が支柱２Ａ１及び２Ｂ１から北側に栽培容器を置けるように突出し、南側棚２Ａ３及び２Ｂ３が北側棚２Ａ２及び２Ｂ２よりも下方で支柱２Ａ１及び２Ｂ１から南側に栽培容器を置けるように突出した構成になっているので、栽培ハウス１の外部から内部に採光された日光６が北側棚２Ａ２及び２Ｂ２に置かれた栽培容器５Ａ１及び５Ｂ１並びに栽培容器５Ａ１と５Ｂ１とで栽培された植物及び南側棚２Ａ３及び２Ｂ３に置かれた栽培容器５Ａ２と５Ｂ２並びに栽培容器５Ａ２と５Ｂ２とで栽培された植物にまんべんなく当たり、植物が良好に栽培される。
【００１５】
栽培ユニット２Ａ及び２Ｂが栽培空間３に設置される場合、栽培ユニット２Ａ及び２Ｂがそれらの間に南北方向の間隔を有して並列に設置される。前記南北方向の間隔は、栽培ユニット２Ａ及び２Ｂの間に作業通路を形成し、かつ、栽培ハウス１の外部から内部に採光された日光６が全ての栽培容器５Ａ１と５Ａ２と５Ｂ１及び５Ｂ２並びに栽培容器５Ａ１と５Ａ２と５Ｂ１と５Ｂ２とで栽培される植物に当たるように設定される。
【００１６】
又、栽培ハウス１の南側と栽培ユニット２Ａとの間には栽培容器５Ａ２で栽培された植物への作業通路が確保され、栽培ハウス１の北側と栽培ユニット２Ｂとの間には栽培容器５Ｂ１で栽培された植物への作業通路が確保される。
【００１７】
以上のように栽培ユニット２Ａ及び２Ｂが栽培空間３に設置されることによって、栽培ハウス１の南側の外部から内部に採光された日光６が全ての栽培容器５Ａ１と５Ａ２と５Ｂ１と５Ｂ２とで栽培される植物にまんべんなく当たり、植物を良好に栽培することができる。
【００１８】
そして、栽培ハウス１の南側と栽培ユニット２Ａとの間における作業通路では作業者が仮想線で示した垂線７Ａの位置で作業を行い、栽培ユニット２Ａと栽培ユニット２Ｂとの間における作業通路では作業者が仮想線で示した垂線７Ｂの位置で作業を行い、栽培ハウス１の北側と栽培ユニット２Ａとの間における作業通路では作業者が仮想線で示した垂線７Ｃの位置で作業を行うことによって、全ての栽培容器５Ａ１と５Ａ２と５Ｂ１と５Ｂ２とが作業者に近いので、作業がやり易くなる。換言すると、東西方向に対峙する複数個の支柱２Ａ１と２Ｂ１とが寸胴形状になっていることから、作業者が北側棚２Ａ２と２Ｂ２及び南側棚２Ａ３と２Ｂ３のそれぞれに置かれた栽培容器５Ａ１と５Ａ２と５Ｂ１と５Ｂ２とで栽培された植物に対する作業を北側棚２Ａ２と２Ｂ２及び南側棚２Ａ３と２Ｂ３のそれぞれに向き合った位置で行うことによって、全ての栽培容器５Ａ１と５Ａ２と５Ｂ１と５Ｂ２とが作業者に近くなり、作業がやり易くなる。又、栽培容器５Ｂ２の作業時においては、北側棚２Ａ２の真下の部分に空間が存在するため作業がしやすく、栽培容器５Ａ１の作業時においては、栽培容器５Ｂ２の真上の部分に空間が存在するため作業がしやすい。
【００１９】
図２を用いて発明を実施するための形態２に係る栽培装置について説明する。図２に示した栽培装置では、栽培ユニット２Ａが最上段の北側棚２Ａ２と上段の南側棚２Ａ３と下段の南側棚２Ａ４とを備え、栽培ユニット２Ｂが最上段の北側棚２Ｂ２と上段の南側棚２Ｂ３と下段の南側棚２Ｂ４とを備える。換言すると、図２に示した栽培ユニット２Ａが図１に示した栽培ユニット２Ａに南側棚２Ａ４を付加した構造であり、図２に示した栽培ユニット２Ｂが図１に示した栽培ユニット２Ｂに南側棚２Ｂ４を付加した構造であり、南側棚２Ａ４が南側棚２Ａ３の真下で東西方向に対峙する複数個の支柱２Ａ１から南側に栽培容器５Ａ３を置けるように突出した構成であり、南側棚２Ｂ４が南側棚２Ｂ３の真下で東西方向に対峙する複数個の支柱２Ｂ１から南側に栽培容器５Ｂ３を置けるように突出した構成である。
【００２０】
そして、栽培ユニット２Ａ及び２Ｂがそれらの間に作業通路並びに栽培ハウス１の外部から内部に採光された日光６が全ての栽培容器５Ａ１乃至５Ａ３及び５Ｂ１乃至５Ｂ３並びに栽培容器５Ａ１乃至５Ａ３及び５Ｂ１乃至５Ｂ３で栽培される植物に当たるような南北方向の間隔を有して並列に設置されることによって、栽培ハウス１の南側の外部から内部に採光された日光６が全ての栽培容器５Ａ１乃至５Ａ３及び５Ｂ１乃至５Ｂ３で栽培される植物にまんべんなく当たり、植物を良好に栽培することができる。つまり、栽培ハウス１の外部から内部に採光された日光６が栽培ハウス１における全ての栽培容器５Ａ１乃至５Ａ３及び５Ｂ１乃至５Ｂ３で栽培される植物にまんべんなく当たり、図１に示した栽培装置よりも栽培ハウス１での植物の栽培する量を多くすることができる。
【００２１】
又、垂線７Ａの位置で作業者が栽培容器５Ａ２と５Ａ３とで栽培された植物に対する作業を行い、垂線７Ｂの位置で作業者が栽培容器５Ａ１と栽培容器５Ｂ２と５Ｂ３とで栽培された植物に対する作業を行い、垂線７Ｃの位置で作業者が栽培容器５Ｂ１で栽培された植物に対する作業を行うことができ、全ての栽培容器５Ａ１乃至５Ａ３及び５Ｂ１乃至５Ｂ３が作業者に近いので、作業がやり易くなる。又、栽培容器５Ｂ２及び５Ｂ３の作業時においては、北側棚２Ａ２の真下の部分に空間が存在するため作業がしやすく、栽培容器５Ａ１の作業時においては、栽培容器５Ｂ２の真上の部分に空間が存在するため作業がしやすい。
【００２２】
図３を用いて発明を実施するための形態３に係る栽培装置について説明する。図３に示した栽培装置では、栽培ユニット２Ａが最上段の北側棚２Ａ２と上段の南側棚２Ａ３と下段の南側棚２Ａ４と下段の北側棚２Ａ５とを備え、栽培ユニット２Ｂが最上段の北側棚２Ｂ２と上段の南側棚２Ｂ３及び下段の南側棚２Ｂ４と反射板８とを備える。
【００２３】
換言すると、図３に示した栽培ユニット２Ａが図２に示した栽培ユニット２Ａに北側棚２Ａ５を付加した構造であり、図２に示した栽培ユニット２Ｂが図２に示した栽培ユニット２Ｂに反射板８を付加した構造であり、北側棚２Ａ５が最上段の北側棚２Ａ２の真下で上段の南側棚２Ａ３と下段の南側棚２Ａ４との間に位置するように東西方向に対峙する複数個の支柱２Ａ１から北側に栽培容器５Ａ４を置けるように突出した構成であり、反射板８が上段の南側棚２Ｂ３及び栽培容器５Ｂ２の一方又は両方に設けられて栽培容器５Ａ４で栽培される植物に栽培ハウス１の南側の外部から内部に採光された日光６の反射光６Ａを当てる構成である。この構成によって、栽培ハウス１の南側の外部から内部に採光された日光６が全ての栽培容器５Ａ１乃至５Ａ４と５Ｂ１乃至５Ｂ３とで栽培される植物にまんべんなく当たり、それらの植物を良好に栽培することができる。つまり、栽培ハウス１の外部から内部に採光された日光６が栽培ハウス１における全ての栽培容器５Ａ１乃至５Ａ４と５Ｂ１乃至５Ｂ３とで栽培される植物にまんべんなく当たり、図２に示した栽培装置よりも栽培ハウス１での植物の栽培する量を多くすることができる。
【００２４】
又、垂線７Ａの位置で作業者が栽培容器５Ａ２と５Ａ３とで栽培された植物に対する作業を行い、垂線７Ｂの位置で作業者が栽培容器５Ａ１と５Ａ４及び栽培容器５Ｂ２と５Ｂ３とで栽培された植物に対する作業を行い、垂線７Ｃの位置で作業者が栽培容器５Ｂ１で栽培された植物に対する作業を行うことができ、全ての栽培容器５Ａ１乃至５Ａ４及び５Ｂ１乃至５Ｂ３が作業者に近いので、作業がやり易くなる。又、栽培容器５Ｂ２と５Ｂ３の作業時においては、北側棚２Ａ２の真下の部分及び北側棚２Ａ５の真下の部分に空間が存在するため作業がしやすい。栽培容器５Ａ４の作業時においては、南側棚２Ｂ３の真下に空間が存在するため作業がしやすい。さらに、栽培容器５Ａ１の作業時においては、栽培容器５Ｂ２の真上の部分に空間が存在するため作業がしやすい。
【００２５】
尚、図示はしないが、栽培ユニット２Ｂは、栽培ユニット２Ａと同じ構造でもよい。言い換えれば、最上段の北側棚２Ｂ２の真下で上段の南側棚２Ｂ３と下段の南側棚２Ｂ４との間に位置するように東西方向に対峙する複数個の支柱２Ｂ１から北側に栽培容器を置けるように突出した図示しない北側棚を設けても良い。その場合、最上段の北側棚２Ｂ２の真下の図示しない北側棚の栽培容器に植えられた植物に光が当たるように、栽培ハウス１の栽培領域３の北側に反射板が設置される。
【００２６】
図４を用いて発明を実施するための形態４に係る栽培装置について説明する。図４に示した栽培装置では、栽培ユニット２Ａが最上段の北側棚２Ａ２と下段の北側棚２Ａ５と上段の南側棚２Ａ３と下段の南側棚２Ａ４とを備え、栽培ユニット２Ｂが最上段の北側棚２Ｂ２と下段の北側棚２Ｂ５と上段の南側棚２Ｂ３と下段の南側棚２Ｂ４と反射板８とを備え、栽培ユニット２Ｂの北側における栽培領域３に栽培ユニット２Ｃを備え、栽培ユニット２Ｃが東西方向に対峙する複数個の支柱２Ｃ１と上段の南側棚２Ｃ２と下段の南側棚２Ｃ３と反射板８Ａとを備える。支柱２Ａ１と２Ｂ１と支柱２Ｃ１との低圃場面４からの高さは同じでも違っても良い。
【００２７】
図４に示した栽培ユニット２Ｃが図３に示した栽培ユニット２Ａ及び２Ｂよりも北側に設置された構造であり、栽培ユニット２Ｃにおける複数個の支柱２Ｃ１が東西方向に対峙し上下方向に寸胴形状に延びた内部を上下方向に肉抜きされた中空な部材である管又は内部を肉抜きされていない中実な部材である棒により構成され、支柱２Ｃ１の下端部が栽培ハウス１を設置した低圃場面４に固定され、支柱２Ｃ１の上端部が下端部から真上にまっすぐ延びたように、支柱２Ｃ１が低圃場面４に設置され、南側棚２Ｃ２は北側棚２Ｂ２と２Ｂ５との間に位置するように複数個の支柱２Ｃ１から南側に栽培容器５Ｃ１を置けるように突出した構成であり、南側棚２Ｃ３は南側棚２Ｃ２の真下で北側棚２Ｂ５よりも下方に位置するように複数個の支柱２Ｃ１から南側に栽培容器５Ｃ２を置けるように突出した構成であり、反射板８Ａが上段の南側棚２Ｃ２及び栽培容器５Ｃ１の一方又は両方に設けられて栽培ユニット２Ｂの北側棚２Ｂ５に置かれた栽培容器５Ｂ４で栽培される植物に栽培ハウス１の南側の外部から内部に採光された日光６の反射光６Ｂを当てる構成である。
【００２８】
そして、複数列の栽培ユニット２Ａと２Ｂ及び２Ｃがそれらの間に作業通路並びに栽培ハウス１の外部から内部に採光された日光６が全ての栽培容器５Ａ１乃至５Ａ４と５Ｂ１乃至５Ｂ４と５Ｃ１と５Ｃ２並びに当該栽培容器５Ａ１乃至５Ａ４と５Ｂ１乃至５Ｂ４と５Ｃ１と５Ｃ２とで栽培される植物に当たるような南北方向の間隔を有して並列に設置されることによって、栽培ハウス１の南側の外部から内部に採光された日光６が全ての栽培容器５Ａ１乃至５Ａ４と５Ｂ１乃至５Ｂ４と５Ｃ１と５Ｃ２とで栽培される植物にまんべんなく当たり、植物を良好に栽培することができる。つまり、栽培ハウス１の外部から内部に採光された日光６が栽培ハウス１における全ての栽培容器５Ａ１乃至５Ａ４と５Ｂ１乃至５Ｂ４と５Ｃ１と５Ｃ２とで栽培される植物にまんべんなく当たり、図３に示した栽培装置よりも栽培ハウス１での植物の栽培する量を多くすることができる。
【００２９】
又、栽培ユニット２Ｂと２Ｃとの間における作業通路では作業者が仮想線で示した垂線７Ｃの位置で作業を行う。つまり、垂線７Ｃの位置における作業者は栽培容器５Ｂ１と５Ｂ４と５Ｃ１と５Ｃ２とで栽培された植物に対する作業を行うことができ、栽培容器５Ｂ１と５Ｂ４と５Ｃ１と５Ｃ２とが作業者に近いので、作業がやり易くなる。又、栽培容器５Ｂ２と５Ｂ３と５Ｃ１と５Ｃ２の作業時においては、北側棚２Ａ２と２Ａ５と２Ｂ２と２Ｂ５との真下の部分に空間が存在するため作業がしやすい。さらに、栽培容器５Ａ４と５Ｂ４の作業時においては、南側棚２Ｂ３と２Ｃ２の真下の部分に空間が存在するため作業がしやすい。さらに、栽培容器５Ａ１と５Ｂ１の作業時においては、栽培容器５Ｂ２と５Ｃ１の真上の部分に空間が存在するため作業がしやすい。
【００３０】
図５を用いて発明を実施するための形態５に係る栽培装置について説明する。図５に示した栽培装置では、栽培ユニット２Ａが複数個の支柱２Ａ１と最上段の北側棚２Ａ２と下段の北側棚２Ａ５と上段の南側棚２Ａ３と下段の南側棚２Ａ４とを備え、栽培ユニット２Ｂが複数個の支柱２Ｂ１と最上段の北側棚２Ｂ２と下段の北側棚２Ｂ５と上段の南側棚２Ｂ３と下段の南側棚２Ｂ４と反射板８及び８Ｂとを備え、栽培ユニット２Ｃが複数個の支柱２Ｃ１と上段の南側棚２Ｃ２と下段の南側棚２Ｃ３と反射板８Ａ及び８Ｃを備える。
【００３１】
図５に示した反射板８Ｂが栽培ユニット２Ｂの下段の北側棚２Ｂ５及び栽培容器５Ｂ４の一方又は両方に設けられて栽培ユニット２Ｂの南側棚２Ｂ４に置かれた栽培容器５Ｂ３で栽培される植物に栽培ハウス１の南側の外部から内部に採光された日光６の反射光６Ｃを当てる構成であり、反射板８Ｃが栽培ユニット２Ｃの支柱２Ｃ１に設けられて南側棚２Ｃ３に置かれた栽培容器５Ｃ２で栽培される植物に栽培ハウス１の南側の外部から内部に採光された日光６の反射光６Ｄを当てる構成であり、栽培ハウス１の南側の外部から内部に採光された日光６が全ての栽培容器５Ａ１乃至５Ａ４と５Ｂ１乃至５Ｂ４と５Ｃ１と５Ｃ２とで栽培される植物にまんべんなく当たり、植物を良好に栽培することができる。つまり、栽培ハウス１の外部から内部に採光された日光６が栽培ハウス１における全ての栽培容器５Ａ１乃至５Ａ４と５Ｂ１乃至５Ｂ４と５Ｃ１と５Ｃ２とで栽培される植物にまんべんなく当たり、図３に示した栽培装置よりも栽培ハウス１での植物の栽培する量を多くすることができる。
【００３２】
尚、図１乃至５において、図示のされていない反射板を栽培ハウス１の栽培領域３の北側に設置し、当該図示のされていない反射板で栽培ハウス１の南側の外部から内部に採光された日光６を栽培領域３の南側に反射して、最も北側に設置された栽培ユニットの植栽容器に植えられた植物に反射光が当たるようにしてもよい。例えば、栽培空間３を覆う北側部分の採光可能なガラスやビニール等の部材に反射シートを設置することも可能である。
【００３３】
図３乃至５において、反射板８が上段の南側棚２Ｂ３及び栽培容器５Ｂ２の一方又は両方の南側に設けられた構成、反射板８Ａが上段の南側棚２Ｃ２及び栽培容器５Ｃ１の一方又は両方の南側に設けられた構成並びに反射板８Ｂが下段の北側棚２Ｂ５及び栽培容器５Ｂ４の一方又は両方の南側に設けられた構成を例示したが、図１乃至５において、栽培ユニット２Ａと２Ｂと２Ｃのすべての棚及び栽培容器の一方又は両方の南側に反射板が設けられてもよい。さらに、栽培ユニット２Ａと２Ｂと２Ｃのすべての棚及び栽培容器の一方又は両方の北側に反射板が設けられてもよい。
【００３４】
図６を用いて発明を実施するための形態６に係る栽培装置について説明する。図６に示した栽培装置では、栽培ハウス１の内部における低圃場面４が栽培ハウス１の周囲の側における高圃場面６３よりも低く設定され補強部材６１が栽培ハウス１より外側で栽培ハウス１を囲むように設けられ、保温部材６２が栽培ハウス１の内側で栽培ハウス１を囲むよう設けられている。例えば、低圃場面４が掘り下げられるか、又は、高圃場面６３が盛土されることにより、低上面４が高圃場面６３よりも低く設定される。そして、補強部材６１が栽培ハウス１を外側から補強することができる。又、低圃場面４と保温部材６２とにより栽培空間３の温度管理がしやすくなり、特に、６月から８月の日照時間が長くかつ気温の高くなる夏場において、北側棚２Ａ２及び２Ｂ２よりも低く外側地面６３の高さに近い南側棚２Ａ３及び２Ｂ３は、温度上昇を抑えることができる。又、保温部材６２の下端部分が掘り下げられた低圃場面４よりも深く埋められていることから、雨が降った場合であっても、栽培空間３に水が浸入することを防止できる。
【００３５】
補強部材６１の下端部は外側地面６３に埋められ、補強部材６１の上端部は外側地面６３よりも上に突出している。
【００３６】
保温部材６２の下端部分は高圃場面６３の栽培ハウス１より内側に位置する部分から低圃場面４よりも深い位置まで埋められ、保温部材６２上端部分は高圃場面６３よりも上に突出している。保温部材６２は発泡樹脂製の板状部材が使用可能である。
【００３７】
図６では、栽培ユニット２Ａ及び２Ｂを例示したが、図２乃至４に示す栽培ユニット２Ａ、２Ｂ又は図５示す栽培ユニット２Ａ、２Ｂを設置しても良い。
【００３８】
図７及び８を用いて発明を実施するための形態７に係る栽培ユニット２について説明する。図７において、栽培ユニット２は図１乃至５の栽培ユニット２Ａと２Ｂと２Ｃとに相当し、支柱２１は図１乃至５の支柱２Ａ１と２Ｂ１と２Ｃ１とに相当し、北側棚２２は図１乃至５の北側棚２Ａ２と２Ａ５と２Ｂ２と２Ｂ５とに相当し、南側棚２３は図１乃至５の南側棚２Ａ３と２Ａ４と２Ｂ３と２Ｂ４と２Ｃ２と２Ｃ３とに相当し、北側の栽培容器５１は図１乃至５の栽培容器５Ａ１と５Ａ４と５Ｂ１と５Ｂ４とに相当し、南側の栽培容器５２は５Ａ２と５Ａ３と５Ｂ２と５Ｂ３と５Ｃ１と５Ｃ２とに相当する。
【００３９】
北側棚２２は、東西方向に対峙する複数本の東西側腕部２２１と南北方向に対峙する複数本の南北側腕部２２２とで上下方向に貫通する空間部５３を囲む方形な枠になっているので、北側棚２２が板状の棚で構成された場合に比べ軽量になる。東西側腕部２２１は、東西方向に対峙する複数個の支柱２１から南側に突出するように図示のされていない固定具で結合された、内部を肉抜きされた中空な部材である管又は内部を肉抜きされていない中実な部材である棒により構成される。南北側腕部２２２は、東西方向に対峙する複数本の東西側腕部２２１の上に載るように東西側腕部２２１に図示のされていない固定具で結合された、内部を肉抜きされた中空な部材である管又は内部を肉抜きされていない中実な部材である棒により構成される。
【００４０】
栽培容器５１は、合成樹脂製の四角いプランター又は発泡合成樹脂製の四角い上方に開口したトロ箱と呼ばれる箱の中に培養土を入れて植物を栽培する構成であり、単数に限定されるものではなく、複数個を東西方向に並べた態様でも良い。
【００４１】
南側棚２３は、東西方向に対峙する複数本の東西側腕部２３１と南北方向に対峙する複数本の南北側腕部２３２とで上下方向に貫通する空間部５４を囲む方形な枠になっているので、南側棚２３が板状の棚で構成された場合に比べ軽量になる。東西側腕部２３１は、東西方向に対峙する複数個の支柱２１から南側に突出するように図示のされていない固定具で結合された、内部を肉抜きされた中空な部材である管又は内部を肉抜きされていない中実な部材である棒により構成される。南北側腕部２３２は、東西方向に対峙する複数本の東西側腕部２３１の上に載るように東西側腕部２３１に図示のされていない固定具で結合された、内部を肉抜きされた中空な部材である管又は内部を肉抜きされていない中実な部材である棒により構成される。
【００４２】
栽培容器５２は、合成樹脂製の四角いプランター又は発泡合成樹脂製の四角い上方に開口したトロ箱と呼ばれる箱の中に培養土を入れて植物を栽培する構成であり、単数に限定されるものではなく、複数個を東西方向に並べた態様でも良い。
【００４３】
図８において、北側棚２２では、東西側腕部２２１と支柱２１の低圃場面４の側との成す角度θ１は鈍角であり、東西側腕部２２１が北側の先端部から支柱２１の側に行くに従って徐々に下り勾配になっており、南北側腕部２２２の外形は角形になっており、栽培容器５１の底部が南北側腕部２２２の上に接触するように搭載されることで栽培容器５１の北側棚２２からの落下防止が図られている。尚、南側の南北側腕部２２２よりも北側の南北側腕部２２２を太くして支柱２１の側に徐々に下り勾配となるようにしてもよい。南側棚２３では、東西側腕部２３１と支柱２１の低圃場面４の側との成す角度θ２は鈍角であり、東西側腕部２３１が南側の先端部から支柱２１の側に行くに従って徐々に下り勾配になっており、南北側腕部２３２の外形は角形になっており、栽培容器５２の底部が南北側腕部２３２の上に接触するように搭載されることで栽培容器５２の南側棚２３からの落下防止が図られている。尚、北側の南北側腕部２３２よりも南側の南北側腕部２３２を太くして支柱２１の側に徐々に下り勾配となるようにしてもよい。
【００４４】
南側棚２３が最下段に設けられた場合、栽培容器５２の底部に設けられた図示のされていない排水孔から水や肥料等の排水を受ける排水受け２３３が南北方向に対峙する南北側腕部２３２に仮想線で示したような弧状に掛け渡された可撓性を有する合成樹脂シートにより構成されており、排水受け２３３が栽培容器５２から受けた排水の重量によって実線で示したようにＶ字形に変形して仮想線で示したような弧状よりも下方に垂れ下がるが、最下段の南側棚２３であることから、実線で示した下方に垂れ下がった排水受け２３３が栽培容器５２の周囲に対する日当たりを阻害しないようになる。
【００４５】
これに対し、最下段の南側棚２３よりも上方に位置する北側棚２２では栽培容器５１の底部に設けられた図示のされていない排水孔から水や肥料等の排水を受ける排水受け２２３が東西側腕部２２１及び南北側腕部２２２の一方又は両方に取り付けられた実線で示したような半円状の形状保持性の有る合成樹脂樋により構成されているので、排水受け２２３が栽培容器５２から受けた排水の重量によって変形しないで半円状の形を確保して周囲に対する日当たりを阻害しないようになる。
【００４６】
尚、図示のされていない北側棚又は南側棚が最上段の北側棚２２と最下段の南側棚２３との中間位置に存在する場合、最上段の北側棚２２と最下段の南側棚２３との中間位置に存在する図示のされていない北側棚又は南側棚にも排水受け２２３に相当する図示にされていない排水受けを用いることによって周囲に対する日当たりを阻害しないようになる。
【００４７】
その他、最下段の南側棚２３以外の棚の排水受け２２３に代えて、最下段の南側棚２３の排水受け２３３のように、可撓性を有する合成樹脂シートにより排水受けを設けても良い。排水受けを使用しない時は、南北側腕部２２２及び２３２の作業通路側又は支柱２１の側に固定された合成樹脂シートを取外して支柱２１の側又は作業通路側にまとめて固定することにより、光を阻害しないようにすることができる。尚、光透過性と可撓性とを有する合成樹脂シートを用いて、周囲に対する日当たりを阻害しないようにすることも可能である。
【００４８】
尚、複数個、北側棚２２及び南側棚２３に、栽培容器５１；５２を東西方向に誘導する図示のされていない複数のローラーが設けられていれば、栽培容器５１；５２を東西に移動する場合にローラーが回転し、栽培容器５１；５２の移動が簡単になる。この場合、ローラーが北側棚２２及び南側棚２３に着脱可能に設けられれば、当該ローラーが北側棚２２及び南側棚２３から取り外されることで、日光６を通過させる空間部５３；５４が北側棚２２及び南側棚２３に形成でき、日当たりが阻害されないようにできる。
【００４９】
又、図９に示すように、上方の開口部が広く下方の底面の方向に従って次第に狭くなった楔形の栽培容器５１；５２を用いることにより、栽培容器５１；５２を空間部５３；５４に上方から挿入することで、栽培容器５１；５２の底部の側が空間部５３；５４に嵌り込み、栽培容器５１；５２の上部の側が北側棚２２及び南側棚２３で支持されるので、栽培容器５１；５２の北側棚２２及び南側棚２３からの落下防止になる。具体的には、南北方向に対峙する複数本の南北側腕部２２２どうしの間隔及び、南北方向に対峙する複数本の南北側腕部２３２どうしの間隔が、栽培容器５１；５２の底面よりも大きくかつ栽培容器５１；５２の上方の開口部よりも小さくなっていれれば上記落下防止が達成できる。尚、本明細書内では、栽培容器５１；５２の底部の側が空間部５３；５４に嵌り込み、栽培容器５１；５２の上部の側が北側棚２２及び南側棚２３で支持される状態についても、北側棚２２及び南側棚２３に栽培容器５１；５２を置いた状態を意味する。
【００５０】
又、南北側腕部２２２及び南北側腕部２３２を断面が円形の内部を肉抜きされた中空な部材である管又は断面が円形の内部を肉抜きされていない中実な部材である棒により構成すれば、南北側腕部２２２の曲面２２５及び南北側腕部２３２の曲面２３５が空間部５３；５４に導くようになり、栽培容器５２；５３を空間部５３；５４に設置しやすい効果がある。
【００５１】
さらに、東西方向に対峙する複数本の東西側腕部２２１の下及び東西方向に対峙する複数本の東西側腕部２３１の下に、栽培容器５１；５２の底面を受け止めるように下側南北側腕部２２４及び下側南北側腕部２３４が着脱可能に設けられれば、栽培容器５１；５２がより安定した状態に保持できるうえ、下側南北側腕部２２４及び下側南北側腕部２３４を取り外すことにより、日光６が空間部５３；５４に通過し、下方への日当たりが確保できる。
【００５２】
上記の楔形の栽培容器５１；５２は、単数に限定されるものではなく、複数個を東西方向に並べた態様でも良い。
【００５３】
図１０を参照し、発明を実施するための形態８の栽培装置を使用した苺の栽培方法について説明する。当該栽培方法を用いることにより、１棟の栽培ハウス１の栽培空間３の中において、１年間を通して苺の収穫が可能になる。
【００５４】
図１０を参照し、発明を実施するための形態８に係る栽培方法について説明する。図１０の示した栽培方法は、複数の栽培ユニット２Ａ及び２Ｂが栽培ハウス１内に垂線７Ｃで示す作業通路となる南北方向の間隔をもって並設され、前記複数の栽培ユニット２Ａ及び２Ｂの下段棚としての南側棚２Ａ３及び２Ｂ３で栽培容器５Ａ２及び５Ｂ２を用いて夏至の期間を含む夏期に収穫期となる植物を栽培し、前記下段棚に対して上下方向に貫通する空間部５３を有する上段棚としての北側棚２Ａ２で栽培容器５Ａ１を用いて夏至の期間を含む夏期に土作りとなる植物を栽培し、この夏至の期間を含む夏期には前記上段棚としての北側棚２Ａ２から栽培容器５Ａ１が撤去されると、下段棚としての栽培容器５Ａ２及び５Ｂ２を用いて栽培される植物に夏至の期間を含む夏期の収穫期に日光６が上段棚としての北側棚２Ａ２における上下方向に貫通する空間部５３を通しても当たる。
【００５５】
尚、図１０において、栽培ユニット２Ｂの上段棚としての北段棚２Ｂ２で日光６の遮られる下段棚が存在しないことから、上段棚としての北側棚２Ｂ２では栽培容器５Ｂ１を用いて夏至の期間を含む夏期に土作りとなる植物を栽培しても夏至の期間を含む夏期に収穫期となる植物を栽培してもよく、上段棚としての北段棚２Ｂ２で栽培容器５Ｂ１を用いて夏至の期間を含む夏期に土作りとなる植物を栽培する場合には上段棚としての北段棚２Ｂ２から栽培容器５Ｂ１を撤去し、撤去した栽培容器５Ｂ１で土作りを行っても良い。
【００５６】
図１１を参照し、発明を実施するための形態９に係る栽培方法について説明する。図１１の示した栽培方法は、複数の栽培ユニット２Ａと２Ｂ及び２Ｃが栽培ハウス１内に垂線７Ｂ及び７Ｃで示す作業通路となる南北方向の間隔をもって並設され、前記複数の栽培ユニット２Ａと２Ｂ及び２Ｃの下段棚としての南側棚２Ａ４と２Ｂ４及び２Ｃ３並びに下段棚としての北側棚２Ａ５及び２Ｂ５で栽培容器５Ａ３と５Ａ４と５Ｂ３と５Ｂ４及び５Ｃ２を用いて夏至の期間を含む夏期に収穫期となる植物を栽培し、前記下段棚に対して上下方向に貫通する空間部５３を有する上段棚としての北側棚２Ａ２及び２Ｂ２並びに空間部５４を有する上段棚としての南側棚２Ａ３及び２Ｂ３で栽培容器５Ａ１と５Ａ２と５Ｂ１及び５Ｂ２を用いて夏至の期間を含む夏期に土作りとなる植物を栽培し、この夏至の期間を含む夏期には上段棚としての北側棚２Ａ２及び２Ｂ２並びに南側棚２Ａ３及び２Ｂ３から栽培容器５Ａ１と５Ａ２と５Ｂ１及び５Ｂ２が撤去されると、下段棚としての栽培容器５Ａ３と５Ａ４と５Ｂ３と５Ｂ４及び５Ｃ２を用いて栽培される植物に夏至の期間を含む夏期の収穫期に日光６が上段棚としての北側棚２Ａ２及び２Ｂ２並びに南側棚２Ａ３及び２Ｂ３における上下方向に貫通する空間部５３及び５４を通しても当たる。
【００５７】
尚、図１１において、栽培ユニット２Ｃの上段棚としての南段棚２Ｃ２で日光６の遮られる下段棚が存在しないことから、上段棚としての南段棚２Ｃ２では栽培容器５Ｃ１を用いて夏至の期間を含む夏期に土作りとなる植物を栽培しても夏至の期間を含む夏期に収穫期となる植物を栽培してもよく、上段棚としての南段棚２Ｃ２で栽培容器５Ｃ１を用いて夏至の期間を含む夏期に土作りとなる植物を栽培する場合には上段棚としての南段棚２Ｃ２から栽培容器５Ｃ１を撤去し、撤去した栽培容器５Ｃ１で土作りを行っても良い。
【００５８】
図１２を用いて、発明を実施するための形態１０に係る栽培方法における上段棚及び下段棚での栽培作業の期間について説明する。図１２の上段棚は、例えば図１０の北側棚２Ａ２、図１１の北側棚２Ａ２及び２Ｂ２と南側棚２Ａ３及び２Ｂ３に相当する。又、図１２の下段棚は、図１０の北側棚２Ａ３及び２Ｂ３、図１１の北側棚２Ａ５及び２Ｂ５と南側棚２Ａ４と２Ｂ４及び２Ｃ３に相当する。
【００５９】
図１２の下段棚の年間の管理方法について説明する。４月の定植時期７１に苺の苗を栽培容器に定植し、下段棚に設置する。４月から６月までの育成期間７２に苺の苗を育成する。６月から１２月までの収穫期間７３に苺を収穫することができる。収穫期間７３の経過後、１２月から４月の期間は苺の育成は行われず、新たな苺の苗を植えるための準備である土作り７４を行う。そして、次の４月の定植時期７５に苺の苗を栽培容器に定植し、下段棚に設置する。４月から６月までの育成期間７６に苺の苗を育成し、６月から１２月までの収穫期間７７に苺を収穫することができる。収穫期間７７の経過後、１２月から４月までは苺の育成は行わず、新たな苺の苗を植えるための準備である土作り７８を行う。以上の手順を毎年繰り返し行う。
【００６０】
次に図１２の上段棚の管理方法について説明する。８月の定植時期８１に苺の苗を栽培容器に定植し、上段棚に設置する。８月から１１月までの育成期間８２に苺の苗を育成し、１１月から６月までの収穫期間８３に苺を収穫することができる。収穫期間８３の経過後、６月から８月の栽培容器撤去期間８４に上段棚から栽培容器が撤去される。そして、次の８月の定植時期８５に苺の苗を栽培容器に定植し、上段棚に設置する。８月から１１月までの育成期間８６に苺の苗を育成し、１１月から６月までの収穫期間８７に苺を収穫することができる。収穫期間８７の経過後、６月から８月の栽培容器撤去期間８８に上段棚から栽培容器が撤去される。以上の手順を毎年繰り返し行う。
【００６１】
以上、苺の栽培方法について説明したが、栽培装置を設置する緯度、経度や標高によって、栽培装置の外側の気温や日照時間に変化が生じることから、夏至の期間を含む夏期及び冬至の期間を含む冬期は変化する。又、定植時期、育成期間、収穫期間、土作り期間及び栽培容器撤去期間は、栽培装置を設置する場所によっては、期間が短くなったり、長くなったりする。又、月日がずれる場合もある。
【００６２】
夏至の期間を含む夏期、冬至の期間を含む冬期、設置される場所の年間を通して気温の高くなる時期及び設置される場所の年間を通して気温が低くなる時期を考慮して、定植時期、育成期間、収穫期間、土作り期間及び栽培容器撤去期間が決定される。
【００６３】
上段棚と下段棚の両方を用いて苺を栽培する場合を例示したが、苺以外の植物に適用することも可能である。例えば、ほうれん草、水菜やレタス等の葉菜類を葉が若く柔らかいうちに収穫するベビーリーフの栽培に使用したり、リーフレタスの栽培に使用したりすることも可能である。これらの植物は、定植時期から収穫時期までの期間が苺よりも短い植物であるため、本発明の栽培ユニットを適用すれば、年間を通して複数回の収穫を行うことが可能となる。尚、植物によっては、栽培ハウス１内の温度が高く栽培に向かない時期もある。その場合、夏至の期間を含む夏期は下段棚のみを使用し、上段棚を使用しないで栽培することも可能である。夏至の期間を含む夏期の時期以外の時期に上段棚と下段棚とを使用することにより、栽培ハウスの単位面積当たりの収穫効率を上げることが可能となる。又、苺よりも定植時期から収穫時期までの期間が長い植物にも適用可能である。さらに、上段棚と下段棚とで異なる植物を栽培することも可能である。
【００６４】
図１において北側棚１つと南側棚１つの２段の栽培ユニット、図２及び図３において北側棚１つと南側棚２つの３段の栽培ユニット並びに図４及び図５において北側棚２つと南側棚２つの４段の栽培ユニットを例示したが、棚の段数はこれらに限定されることはない。例えば、北側の最上段の北側棚１つと南側棚３つの４段の栽培ユニット、北側の最下段のない北側棚２つと南側棚３つの５段の栽培ユニット並びに北側棚３つと南側棚３つの６段の栽培ユニットでも適用可能である。又、７段以上の栽培ユニットとしてもよい。
【００６５】
又、苺のような親株から伸びる蔓（ランナー）の先に子株ができ、親株と子株とをつなぐ蔓を切断することで株を増やすことが可能な植物の場合、上段の棚の栽培容器に植えられた親株の蔓を下段の棚の植栽容器に下ろして、子株を育てた後に蔓を親株から切断することで植物の株数を増やすことが可能である。又、苺の場合、蔓を切断しないで果実を収穫するまで植物を育成することも可能である。
【００６６】
作業通路に植物の手入れや植物の収穫時に人が使用する作業用車を設置したり、植物の手入れや植物を収穫するロボットを設置したりする場合、一つの作業通路で南側の棚に設置された植物と北側の棚に設置された植物との両方の作業に使用できるため、作業用車又はロボットの一台あたりの作業可能な棚の数が多くなり、作業用車又はロボットの台数を少なくできる。又、上述のように、３段乃至７段以上の栽培ユニットにして段数を多くすれば、作業可能な棚が上下方向で増加し、作業用車又はロボットの一台あたりの作業可能な棚の数がより多くなる。
【符号の説明】
【００６７】
１は栽培ハウス、２は栽培ユニット、２Ａ１は支柱、２Ａ２は北側棚、２Ａ３は南側棚、２Ａ４は下段の南側棚、２Ａ５は下段の北側棚、２Ｂ１は支柱、２Ｂ２は北側棚、２Ｂ３は南側棚、２Ｂ４は下段の南側棚、２Ｂ５は下段の北側棚、２Ｃ１は支柱、２Ｃ２は南側棚、２Ｃ３は下段の南側棚、３は栽培空間、４は低圃場面、５Ａ１乃至５Ａ４は栽培容器、５Ｂ１乃至５Ｂ４は栽培容器、５Ｃ１及び５Ｃ２は栽培容器、６は日光、６Ａ乃至６Ｄは反射光、７Ａ乃至７Ｃは垂線、８は反射板、８Ａ乃至８Ｃは反射板、２１は支柱、２２は北側棚、２３は南側棚、５１は栽培容器、５２は栽培容器、５３は空間部、５４は空間部、６１は補強部材、６２は保温部材、６３は高圃場面、２２１は東西側腕部、２２２は南北側腕部、２２３は排水受け、２２４は下側南北側腕部、２２５は曲面、２３１は東西側腕部、２３２は南北側腕部、２３３は排水受け、２３４は下側南北側腕部、２３５は曲面。
【図１】
2020005656.tif 000003
【図２】
2020005656.tif 000004
【図３】
2020005656.tif 000005
【図４】
2020005656.tif 000006
【図５】
2020005656.tif 000007
【図６】
2020005656.tif 000008
【図７】
2020005656.tif 000009
【図８】
2020005656.tif 000010
【図９】
2020005656.tif 000011
【図１０】
2020005656.tif 000012
【図１１】
2020005656.tif 000013
【図１２】
2020005656.tif 000014
【図１３】
2020005656.tif 000015